(57)【要約】  コンドームホルダーは、該ホルダーを用いてコンドームを装着する方法とともに、提案される。コンドームホルダーは、平坦に整えられたコンドームを配置し得る空間を少なくとも部分的に規定し、コンドームの端部を固定するための固定部と、該固定部の間の接続部であって、該固定部は、２つの対向する部分を含み、該部分の各々は、少なくとも１つの上記固定部を含む接続部と、上記２つの対向する部分を、少なくとも反対方向へ移動可能に備えた部分の間に配置された第３の部分と、使用者により加えられた力により、上記２つの対向する部分を移動させるために使用するデバイスと、を備え、上記第３の部分は、上記２つの対向する部分を回転により移動させることが可能に形成されている。本発明の方法および装置によって、使用者は、開梱およびコンドームの装着を迅速、快適に行うことができ、使用者の性交への関心は微かに逸れるだけである。
2010528807.tif 000002
【特許請求の範囲】
【請求項１】
平坦に整えられたコンドームを配置し得る空間を少なくとも部分的に規定しているコンドームホルダーであって、
上記コンドームの端部を固定する複数の固定部と、該固定部の間の単一の接続部と、第３の部分と、移動デバイスとを備えており、
上記接続部は、対向する２つの部分を含んでおり、該対向する２つの部分の各々が、少なくとも１つの上記固定部を含んでおり、
上記第３の部分は、上記対向する２つの部分が少なくとも互いに離れる移動を可能にし、
上記移動デバイスは、使用者により加えられた機械的な力の作用の下で、上記対向する２つの部分を移動させ、
上記第３の部分は、上記対向する２つの部分の互いに離れる移動が回転を含むように形成されていることを特徴とするコンドームホルダー。
【請求項２】
上記移動の後に、移動した状態にて、上記ホルダーを固定するホルダー固定デバイスを備えていることを特徴とする請求項１に記載のコンドームホルダー。
【請求項３】
上記対向する部分の各々が、少なくとも１つのバンドを備えていることを特徴とする請求項１に記載のコンドームホルダー。
【請求項４】
上記バンドは、上記ホルダーによって規定される領域の内側へ曲がるように適合されていることを特徴とする請求項３に記載のコンドームホルダー。
【請求項５】
上記バンドは、上記ホルダーによって規定される領域の内側への曲がりを制限するストッパーを備えていることを特徴とする請求項４に記載のコンドームホルダー。
【請求項６】
上記曲がりを可能とする可撓性コネクタを備えていることを特徴とする請求項４に記載のコンドームホルダー。
【請求項７】
上記曲がりを可能とするヒンジ継手を備えていることを特徴とする請求項４に記載のコンドームホルダー。
【請求項８】
上記回転を可能とする可撓性コネクタを備えていることを特徴とする請求項１に記載のコンドームホルダー。
【請求項９】
上記回転を可能とするヒンジ継手を備えていることを特徴とする請求項１に記載のコンドームホルダー。
【請求項１０】
上記第３の部分は、可撓性コネクタを備えていることを特徴とする請求項１に記載のコンドームホルダー。
【請求項１１】
上記第３の部分は、ヒンジ継手を備えていることを特徴とする請求項１に記載のコンドームホルダー。
【請求項１２】
２つのレバーを備え、該２つのレバーの一方のアームは、上記対向する２つの部分によって形成され、該２つのレバーの他方のアームは、上記移動デバイスによって形成されていることを特徴とする請求項１に記載のコンドームホルダー。
【請求項１３】
上記第３の部分は、２つの伝達部材を備え、該２つの伝達部材はそれぞれ、上記対向する２つの部分の一方をヒンジで動かすものであるとともに、該２つの伝達部材は、互いに回転可能に接続していることを特徴とする請求項１に記載のコンドームホルダー。
【請求項１４】
上記固定部は、輪なわ状であることを特徴とする請求項１に記載のコンドームホルダー。
【請求項１５】
上記固定部は、上記コンドームの外側で、該コンドームの巻いた状態の端部を保持するように適合されていることを特徴とする請求項１４に記載のコンドームホルダー。
【請求項１６】
平坦に整えられたコンドームを配置し得る空間を少なくとも部分的に規定し、２つのレバーを備え、該２つのレバーのうちの第１のレバーは少なくとも上記コンドームの端部を固定するための固定部を有し、上記レバーには、互いのレバーを離すように移動可能に、第１のアームが接続されており、第２のレバーは、上記移動のために、使用者によって機械的な力が加えられるように適合されていることを特徴とするコンドームホルダー。
【請求項１７】
上記移動の後に、移動した状態にて、上記ホルダーを固定するホルダー固定デバイスを備えていることを特徴とする請求項１６に記載のコンドームホルダー。
【請求項１８】
上記２つのレバーは、該２つのレバーが接続されている箇所に、共通ピボットを備えていることを特徴とする請求項１６に記載のコンドームホルダー。
【請求項１９】
上記２つのレバーは、コネクタにより互いに接続されており、該コネクタの端部に上記ピボットが配置されていることを特徴とする請求項１６に記載のコンドームホルダー。
【請求項２０】
上記２つのレバーは、コンドーム平面において、１本の手の指により力を加えられるように適合されていることを特徴とする請求項１６に記載のコンドームホルダー。
【請求項２１】
使用者によって機械的な力が加えられるように適合されている上記レバーのアームは、上記第１レバーのアームと回転可能に接続しており、該第１レバーのアームに沿って配置されるように適合されていることを特徴とする請求項１６に記載のコンドームホルダー。
【請求項２２】
ガイドウェイによって規定されるスロットを備えたボックスの一方の端部である開かれた方に受容されるとともに、上記スロット内に移動可能に配置された部分によって接続しているレストを備え、該レストは、ボックスの外側に配置されており、使用者によって機械的な力が加えられるように適合したレバーのアームは、上記ボックスと回転可能に接続していることを特徴とする請求項２１に記載のコンドームホルダー。
【請求項２３】
上記レバーの各々は、少なくとも１つのバンドを備えていることを特徴とする請求項６に記載のコンドームホルダー。
【請求項２４】
上記バンドは、上記ホルダーによって規定される領域の内側へ曲がるように適合されていることを特徴とする請求項２３に記載のコンドームホルダー。
【請求項２５】
上記バンドは、上記ホルダーによって規定される領域の内側への曲がりを制限するストッパーを備えていることを特徴とする請求項２４に記載のコンドームホルダー。
【請求項２６】
上記曲がりを可能とする可撓性コネクタを備えていることを特徴とする請求項２４に記載のコンドームホルダー。
【請求項２７】
上記曲がりを可能とするヒンジ継手を備えていることを特徴とする請求項２４に記載のコンドームホルダー。
【請求項２８】
平坦に整えられたコンドームを配置し得る空間を少なくとも部分的に規定し、１本のアームを有したレバーを２つ備え、上記レバー各々のアームは、上記コンドームの端部を固定する固定部を少なくとも１つ備えた第１部分を含むとともに、上記レバーには、少なくとも互いに離れるよう移動可能に、上記第１部分が接続されており、上記レバー各々のアームの他の部分は、上記移動のために、使用者によって機械的な力が加えられるように適合されていることを特徴とするコンドームホルダー。
【請求項２９】
上記移動の後に、移動した状態にて、上記ホルダーを固定するホルダー固定デバイスを備えていることを特徴とする請求項２８に記載のコンドームホルダー。
【請求項３０】
上記２つのレバーは、該レバー各々の、使用者によって機械的に力を加えられるように適合した部分が、他方のレバーの側面に位置するように交差していることを特徴とする請求項２８に記載のコンドームホルダー。
【請求項３１】
上記レバーの、使用者によって機械的な力を加えられるように適合した部分が、上記第１部分よりも上記ピボットに近い位置に配置されていることを特徴とする請求項２８に記載のコンドームホルダー。
【請求項３２】
上記レバーの上記第１部分は、該レバーの、使用者によって機械的に力を加えられるように適合した部分よりも上記ピボットの近い位置に配置されていることを特徴とする請求項２８に記載のコンドームホルダー。
【請求項３３】
上記２つのレバーは、該２つのレバーが接続されている箇所に、共通ピボットを備えていることを特徴とする請求項２８に記載のコンドームホルダー。
【請求項３４】
上記レバーの各々は、少なくとも１つのバンドを備えていることを特徴とする請求項２８に記載のコンドームホルダー。
【請求項３５】
上記バンドは、上記ホルダーによって規定された領域の内側へ曲がるように適合されていることを特徴とする請求項３４に記載のコンドームホルダー。
【請求項３６】
上記バンドは、上記ホルダーによって規定される領域の内側への曲がりを制限するストッパーを備えていることを特徴とする請求項３５に記載のコンドームホルダー。
【請求項３７】
上記曲がりを可能とする可撓性コネクタを備えていることを特徴とする請求項３５に記載のコンドームホルダー。
【請求項３８】
上記曲がりを可能とするヒンジ継手を備えていることを特徴とする請求項３５に記載のコンドームホルダー。
【請求項３９】
平坦に整えられたコンドームを配置し得る空間を少なくとも部分的に規定しているコンドームホルダーであって、
上記コンドームの端部を固定する固定部を少なくとも１つ備えた２つの対向する部分を備え、該２つの対向する部分は、互いに接続しているとともに、互いに少なくとも離れるように移動可能に適合されており、
上記２つの対向する部分の各々は、上記部分に対しヒンジで動く伝達部を備え、上記ホルダーの上記２つの対向する部分の２つの伝達部は、互いに回転可能に接続していることを特徴とするコンドームホルダー。
【請求項４０】
上記移動の後に、移動した状態にて、上記対向する部分を固定する固定デバイスを備えていることを特徴とする請求項３９に記載のコンドームホルダー。
【請求項４１】
上記伝達部は、互いにヒンジで動くことを特徴とする請求項３９に記載のコンドームホルダー。
【請求項４２】
上記伝達部は、ガイドウェイに沿って移動するように適合したロッドの端部に対しヒンジで動くとともに、上記ホルダーの部分が上記ガイドウェイに対し、該部分の端部までヒンジで動くことにより、上記ガイドウェイは、該ガイドウェイとホルダーの上記部分とを接続するために用いられていることを特徴とする請求項３９に記載のコンドームホルダー。
【請求項４３】
ボックスの一方の端部である開かれた方に受容されるとともに、ガイドウェイとして用いられるスロットと、該スロット内に移動可能に配置された部分で、ロッドの端部と接続しているレストとを備え、該レストは、ボックスの外側に配置されていることを特徴とする請求項４２に記載のコンドームホルダー。
【請求項４４】
上記対向する部分は、少なくとも１つのバンドを備えていることを特徴とする請求項３９に記載のコンドームホルダー。
【請求項４５】
上記バンドは、上記ホルダーによって規定される領域の内側へ曲がるように適合されていることを特徴とする請求項４４に記載のコンドームホルダー。
【請求項４６】
上記バンドは、上記ホルダーによって規定される領域の内側への曲がりを制限するストッパーを備えていることを特徴とする請求項４５に記載のコンドームホルダー。
【請求項４７】
平坦に整えられたコンドームを配置し得る空間を少なくとも部分的に規定し、２つの角部を備え、該２つの角部は、ホルダーと移動可能に接続しており、上記コンドームの端部を固定する固定部を少なくとも１つ備えている複数の第１部分が互いに対向して配置され、上記第１部分に対して規定の角度で曲げられた位置にある第２部分が互いに沿って伸びているように配置されており、上記角部の接続部分は、上記第１部分の移動に対応した上記第２部分の移動によって上記角部が、互いに少なくとも離れる方向に移動するような第２部分に配置されていることを特徴とするコンドームホルダー。
【請求項４８】
上記移動の後に、移動した状態にて、上記角部を固定するホルダー固定デバイスを備えていることを特徴とする請求項４７に記載のコンドームホルダー。
【請求項４９】
上記角部は、上記第２部分の端部に対応するハンドルを備え、上記ハンドルは、上記角部が機械的に移動するための力を容易に加えるために用いられることを特徴とする請求項４７に記載のコンドームホルダー。
【請求項５０】
上記ハンドルは、上記角部に沿って回転し、配置されるように該角部と接続していることを特徴とする請求項４９に記載のコンドームホルダー。
【請求項５１】
上記ハンドルは、上記第１部分に沿って配置されるように適合されていることを特徴とする請求項５０に記載のコンドームホルダー。
【請求項５２】
上記２つの角部は、各々の角部と接続したハンドルが他方の角部の側面に位置するように交差していることを特徴とする請求項５１に記載のコンドームホルダー。
【請求項５３】
上記第２部分は、１つの平面に配置されていることを特徴とする請求項５１に記載のコンドームホルダー。
【請求項５４】
上記第２部分は、一方が他方の上に配置されていることを特徴とする請求項５１に記載のコンドームホルダー。
【請求項５５】
上記第２部分を囲む、開かれた部分を備えたガイドウェイを備えていることを特徴とする請求項４７に記載のコンドームホルダー。
【請求項５６】
上記角部の各々は、少なくとも１つのバンドを備えていることを特徴とする請求項４７に記載のコンドームホルダー。
【請求項５７】
上記バンドは、上記ホルダーによって規定される領域の内側へ曲がるように適合されていることを特徴とする請求項５６に記載のコンドームホルダー。
【請求項５８】
上記バンドは、上記ホルダーによって規定される領域の内側への曲がりを制限するストッパーを備えていることを特徴とする請求項５７に記載のコンドームホルダー。
【請求項５９】
上記曲がりを可能とする可撓性コネクタを備えていることを特徴とする請求項５７に記載のコンドームホルダー。
【請求項６０】
上記曲がりを可能とするヒンジ継手を備えていることを特徴とする請求項５７に記載のコンドームホルダー。
【請求項６１】
コンドームが配置された空間を少なくとも部分的に規定したホルダーによって保持された、平坦に整えられたコンドームを装着する方法であって、
上記コンドームホルダーは、上記コンドームの端部を保持する固定部を少なくとも１つ備えた、対向する２つの部分と、使用者によって加えられた機械的な力によって、上記２つの対向する部分を移動させる移動デバイスと、を備えており、
使用者は手でホルダーを保持し、上記コンドームが伸びるまで、上記２つの対向する部分を移動させ、ペニスの根元までホルダーを移動させることによってコンドームを装着するとともに、
使用者は、ホルダーを保持している手の少なくとも２本の指によって、上記２つの対向する部分に力を加えて上記移動を達成することを特徴とするコンドームを装着する方法。
【請求項６２】
上記対向する２つの部分は、上記移動の後、移動された状態にて固定されていることを特徴とする請求項６１に記載の方法。
【請求項６３】
使用者は、ホルダーを保持している手の指で、上記２つの対向する部分を固定していることを特徴とする請求項６２に記載の方法。
【請求項６４】
上記コンドーム平面において、上記対向する部分を押すことによって、該対向する部分に力を加えることを特徴とする請求項６１に記載の方法。
【請求項６５】
上記ホルダーを保持している手の、少なくとも親指と人差し指によって、上記対向する部分を押すことを実現することを特徴とする請求項６１に記載の方法。
【請求項６６】
上記移動の方向は、使用者の手のひらから離れる方向であることを特徴とする請求項６１に記載の方法。
【請求項６７】
上記移動の方向は、使用者の手のひらに近づく方向であることを特徴とする請求項６１に記載の方法。
【請求項６８】
使用者は、上記対向する部分によって形成されたレバーに力を加えることを特徴とする請求項６１に記載の方法。
【請求項６９】
使用者は、上記レバーの第１アームを離れる方向に移動させ、該アームを移動させる手の２本の指で、上記レバーの第２アームに力を加えることを特徴とする請求項６８に記載の方法。
【請求項７０】
上記レバーは、１本のアームであることを特徴とする請求項６８に記載の方法。
【請求項７１】
使用者は、上記第１部分よりもピボットの近くに配置されている、上記レバーのアームの上記第２部分に力を加え、前の方へ移動させることによって、上記レバーのアームの第１部分を、離れるように移動させることを特徴とする請求項７０に記載の方法。
【請求項７２】
使用者は、
上記第１部分を上記第２部分に沿って移動させる手の２本の指で、上記角部の第２部分に力を加えることによって、上記対向する部分によって形成された、上記ホルダーの上記角部の第１部分を、離れるように移動させることを特徴とする請求項６１に記載の方法。
【請求項７３】
上記角部の第２部分に加えられる力は、ハンドルの端部に加えられた力であることを特徴とする請求項７２に記載の方法。
【請求項７４】
上記対向する部分の移動は、同じ手の指によって伝達部の接続部分に加えられた力によって実現されることを特徴とする請求項６１に記載の方法。
【請求項７５】
使用者は、ホルダーと接続し、手で保持できるように適合した基部を保持し、該基部を保持している手の指で伝達部の接続部分に力を加えることによってホルダーを移動させることを特徴とする請求項７４に記載の方法。
【請求項７６】
平坦に整えられたコンドームを配置し得る空間を少なくとも部分的に規定しているコンドームホルダーであって、
上記コンドームの端部を固定するために用いられる固定部と、離れる方向へ移動可能とする移動デバイスによって、互いに接続した２つの対向する部分が設けられ、上記固定部の間に配置された接続部と、を備え、上記２つの対向する部分は、少なくとも１つの上記固定部を備えており、さらに、上記移動の後に、移動した状態にてホルダーを固定する固定デバイスを備えており、
上記移動デバイスは、上記対向する部分の反対方向への移動が回転を含むように形成されていることを特徴とするコンドームホルダー。
【請求項７７】
上記対向する部分の各々は、一方の端部で移動手段と接続し、他方の端部には何も接続されていないバンドを備えていることを特徴とする請求項７６に記載のコンドームホルダー。
【請求項７８】
上記移動デバイスは、ヒンジ継手を備えていることを特徴とする請求項７６に記載のコンドームホルダー。
【請求項７９】
コンドームが配置された空間を少なくとも部分的に規定したホルダーによって保持された、平坦に整えられたコンドームを装着する方法であって、
上記コンドームホルダーは、上記コンドームの端部を保持するための固定部を少なくとも１つ備えた、２つの対向する部分と、使用者によって加えられた機械的な力により移動可能とする、上記２つの対向する部分の間に配置された移動デバイスと、移動の後に、移動された状態にてホルダーを維持する固定装置とを備えており、
使用者は、両手でホルダーを保持し、上記対向する部分が、移動された状態で、上記固定装置が固定するまで上記対向する部分を移動させた後、一方の手でホルダーを保持し、ペニスの根元へホルダーを移動させることによってコンドームを装着するとともに、
上記対向する部分は、コンドームの平面で互いに回転するとともに、ホルダーは斜め方向に取り出されることを特徴とするコンドームを装着する方法。
【発明の詳細な説明】
【技術分野】
【０００１】
本発明は、バリア型避妊具に関し、とくに、コンドームホルダーに関するものである。
【背景技術】
【０００２】
コンドームは、天然のラテックスまたはこれとは別の材料で作製されたスキンであり、ペニスを全体的にまたは部分的に覆うものである。コンドームは、性交渉を通じて伝染する疾患、および／または、望まない妊娠を防ぐために使用される。従来のコンドームを図１に示す。コンドームには、陰茎亀頭のみを覆う、いわゆるマイクロコンドームというものもある。
【０００３】
小型で使用しやすいものにするため、コンドームは通常、リング状に巻かれている。実際には、コンドームを巻くために従来用いられた方向と反対の方向に巻くこともできる。また、コンドームは、伸ばしたり、折りたたんだりすることもできる。コンドームを保管するときは、通常、密閉した膜でコンドームを包装する。この膜は、コンドームと十分に密接し、保管時および輸送時にコンドームを保護するのに充分な強度を通常は有する弾性シート材のパッケージとして、一般的に形成される（図１参照）。パッケージは通常、開封を容易にする手段、例えば、切り込みまたは強度が低減された領域をパッケージの側面に備えるか、あるいは一端部がパッケージの外側に伸びる密封ストリップを備えている。開封したら、コンドームを勃起したペニスにかぶせ、ペニスの根元まで転がして伸ばす。
【０００４】
マイクロコンドームは、陰茎亀頭のみを覆うので、転がして伸ばす必要がない。よって、マイクロコンドームは、仮に転がして伸ばすとしても、その程度は極微小である。
【０００５】
従来のコンドームの主な欠点は、開封してコンドームを装着するために時間と手間がかかることである。この結果、使用者の注意が性交から逸れてしまう。
【０００６】
また、コンドームを装着するために両手を使用する必要がある。しかしながら、概して使用者は片手のみが自由であり、もう片方の手は自分自身を支えるか、または女性の頭部の下に置いている（図２参照）。このため、この手の動きは限られてしまう。一般的に、この体勢は不安定であり、使用者が２つ目の手を解放できるのもわずかな時間しかない。よって、開封してコンドームを装着する際に、使用者は、時々、２つ目の手を使用しつつも、一方の手しか自由に使用することができない。
【０００７】
コンドームを装着するときに費やされる各瞬間は、使用者にとって重要なものである。コンドームのパッケージを素早く、便利に、簡単に取り扱う必要性は、私的な生活で使用される他のどんな包装製品よりも高い。さらに、必要なときでさえコンドームを使用しない人がいることも知られており、これの主な理由は、コンドームを装着するために多大なる時間と労力が必要であり、その結果、性交から気が逸れるということである。本発明の目的は、コンドームの開封および装着に必要な工程を単純化し、この工程の数を低減させることである。この問題が解決できれば、
ａ）全体としてコンドームの使用が増加し、その一方で、
ｂ）危険な性交を行いつつもコンドームを全く使用しない、または、ほとんど使用しない人の数が減少する。
【０００８】
このことは、無制限な出生率の増加（特に人口過剰な途上国において）を食い止めることに加えて、ＨＩＶ問題の解決に役立ち得る。
【０００９】
コンドームホルダーとして知られるデバイスは、コンドームを保持し（たいていの場合、巻いた状態のコンドームの端部を保持し）、これにより、使用者はコンドームホルダーを把持し、コンドームをペニスの上部から下部へと移動させることによってコンドームを装着することができる。この過程において、コンドームはペニスの軸部に沿って、巻いた状態が伸びる（あらかじめ巻いてあるコンドームを使用する場合）。
【００１０】
コンドームホルダーは、中空リングであって、その外周にそって溝が伸び、コンドームを受容する凹部を規定する中空リングであり得る。この溝の形状および位置は、異ならせることができる（例えば、ＵＳ４７３８３５７、Ｍａｒｔｉｎら、１９８８参照）。
【００１１】
ホルダーの内径がコンドームのリングの内径以上の大きさを有すると、凹部は外側に開くことができる。この場合、コンドームのリングの中央に向かう力が生じ、これによってリングが溝からはみ出てしまうのを防ぐ。
【００１２】
この種のホルダーは、以下の特許文献にて開示されている：ＪＰ６１５４２６０（Ｔｏｓｈｉｈｉｒｏ、１９９４）、ＪＰ７３０８３３６、Ｔａｄａｓｈｉ、１９９５）、ＵＳ５５７９７８４（Ｈａｒａｒｉ、１９９６）、ＤＥ１９６４１１０７（Ｒａａｂｅ、１９９８）、ＵＳ５４３７２８６（Ｓｔｒａｔｔｏｎ、１９９５）、ＦＲ２７５１８６９（Ｌｏｙｅｒ、１９９８）。
【００１３】
また、コンドームのリング全体を取り囲むコンドームホルダー（例えば、ＵＳ５１６３４４９、ｖａｎ  ｄｅｒ  Ｖａｌｋ、１９９２参照）や、あるいはＣ形またはＵ型といった切れ目を１つ有するコンドームホルダー（例えば、ＵＳ４８７５４９１，Ｐａｒｒｏｎｅ、１９８９参照）が知られている。
【００１４】
さらに、ホルダーは、互いに隔てられた固定部によってコンドームのリングを保持してもよいし（例えば、ＦＲ２７２７８５８、Ｖｅｇｅｇａ、１９９６参照）、リングの全周に沿ってコンドームのリングを連続的に保持してもよい。
【００１５】
巻いた状態のコンドームの端部を保持する他の手段を用いることも出来る。例えば、コンドームのリングを一対のローラーで保持することができる（例えば、ＷＯ９８０１０９５，Ｌｉｅｈｓ、１９９９参照）。
【００１６】
しかしながら、上述したホルダーは、コンドームを装着するときに、ペニスに接触する。これは、使用者にとって心地よいものではない。そこで、固定部が、ペニスに接触しないか、わずかに接触している間、コンドームを伸ばした状態を維持するホルダーが必要となる。
【００１７】
ＷＯ２００７／０２１１８４（Ｔｕｎｏｖｉｃ  Ａｄｎａｎら、２００７）に開示のコンドームホルダーは、２つのパーツから成ることが知られており、各パーツは、コンドームのリングの外側を保持する多くの輪なわとして形成された固定部を少なくとも１つ備えている。ペニスは、コンドームを介してこの固定部と接触するため、ホルダーの固定部がコンドームのリングの内側を取り囲み、直接ペニスと接触する場合よりも、使用者の不快感は非常に少ない。それでもなお、ペニスと接触しているホルダーの圧力を減少させるために、コンドームを伸ばす必要性は残る。
【００１８】
図５は、両手で把持する２つのパーツから成るホルダーを示す（ＷＯ０２／０６９８６１，Ｖａｎ  Ｒｅｎｓｂｕｒｇ，２００２参照）。この場合、使用者は、コンドームを装着する前に、ホルダーの離れた位置にある持ち手部を用いて、コンドームを伸ばす。そして、使用者は、ホルダーの半分を両手で保持し、ペニスの根元へホルダーを移動させながら、コンドームを装着する。よって、コンドームを伸ばし、装着するために、使用者は、両手を使用することが必要となる。
【００１９】
本願において請求されたホルダーと最も近いと考えられるホルダーが、ＷＯ２００６／０２５７５５（Ｍｏｒ  Ｍａｔｙ  Ｓｅｃｋ、２００６）に記載されている。ホルダーは、リングと、セミリングとして形成された２つの対向する部分と、放射状のガイドウェイを備えている。セミリングの１つは、上記リングに設置されている。ハンドルは上記ガイドウェイに挿入されており、リングに面した側に、もう一方のセミリングを備えている。２つのセミリングは、コンドームの端部がリングに巻かれることを防止するために使用される溝を備えている。
【００２０】
ホルダーに保持されたコンドームを装着するとき、２つのセミリングによって形成された内部領域を広げ、所望の程度にコンドームのリングを伸ばすために、ガイドウェイに沿ってハンドルを移動させている間、ガイドウェイを備えたリングは、一方の手で把持される。
【００２１】
しかしながら、コンドームのリングが近くなるために、コンドームの装着後、リングはまた縦方向に移動する。これは、使用者にとって、心地よいものではない。
【００２２】
さらに、このようなホルダーによって伸びたコンドームは、両手を用いて使用することになり、これは、上述した理由により、ユーザにとって心地よいものではない。
【００２３】
上記ホルダーの他の欠点は、コンパクトでないという点である。リングのサイズは固定であり、伸びたコンドームのサイズによって決まってしまう。さらに、ホルダーのサイズは、放射状のハンドルのために、大きくなる。よって、ホルダーのサイズは、従来のコンドームのパッケージよりもかなり大きくなり、使用者のポケットに入れておくということができない。
【００２４】
本願において請求されたコンドームを装着する方法と最も近いと考えられる方法が、ＷＯ２００６／２５７５５（Ｍｏｒ  Ｍａｔｙ  Ｓｅｃｋ、２００６）に記載されている。この方法によれば、ホルダーに保持されたコンドームを装着するとき、２つのセミリングによって形成された内部領域を広げ、所望の程度にコンドームのリングを伸ばすために、ガイドウェイに沿ってハンドルを移動させている間、ガイドウェイを備えたリングは、一方の手で把時される。
【００２５】
よって、コンドームを装着するために、使用者は、両手を用いることが必要となる。上述したように、これは、心地よいことではなく、上記ホルダーの利点を無にしてしまう。
【先行技術文献】
【特許文献】
【００２６】
【特許文献１】ＵＳ４７３８３５７
【特許文献２】ＪＰ６１５４２６０
【特許文献３】ＪＰ７３０８３３６
【特許文献４】ＵＳ５５７９７８４
【特許文献５】ＤＥ１９６４１１０７
【特許文献６】ＵＳ５４３７２８６
【特許文献７】ＦＲ２７５１８６９
【特許文献８】ＵＳ５１６３４４９
【特許文献９】ＵＳ４８７５４９１
【特許文献１０】ＦＲ２７２７８５８
【特許文献１１】ＷＯ９８０１０９５
【特許文献１２】ＷＯ２００７／０２１１８４
【特許文献１３】ＷＯ０２／０６９８６１
【特許文献１４】ＷＯ２００６／０２５７５５
【発明の概要】
【発明が解決しようとする課題】
【００２７】
本発明の目的は、素早く、心地よくコンドームを伸ばし、そして、素早く、心地よくコンドームを装着させることができる、耐久性がありコンパクトなコンドームホルダーを提供することにある。コンドームを伸ばし、そして装着する全ての動作は、一方の手で行われることが好ましい。そして、コンドームを装着した後に、横方向にホルダーを外すことが可能である。よって、コンドームを装着する方法は、使用者の関心が性交から逸れることを最小限に止める。また、ホルダーは、折り畳めて使用者のポケットに入る程度の大きさであることが好ましい。
【課題を解決するための手段】
【００２８】
上述した問題点は、次のコンドームホルダーを提供することによって解決される。すなわち、このコンドームホルダーは、平坦に整えられたコンドームを配置し得る空間を少なくとも部分的に規定するとともに、上記コンドームの端部を固定する複数の固定部と、該固定部の間の単一の接続部と、第３の部分と、移動デバイスとを備えており、上記接続部は、対向する２つの部分を含んでおり、該対向する２つの部分の各々が、少なくとも１つの上記固定部を含んでおり、上記第３の部分は、上記対向する２つの部分が少なくとも互いに離れる移動を可能にし、上記移動デバイスは、使用者により加えられた機械的な力の作用の下で、上記対向する２つの部分を移動させ、上記第３の部分は、上記対向する２つの部分の互いに離れる移動が回転を含むように形成されている。
【００２９】
これにより、コンドームを伸ばすために、一方の手のみが必要とされ、一方の手の指の簡単な動きでコンドームを装着することができる。ホルダーが、反対方向へ移動するように適合した、２つの対向する部分と、該移動をもたらす第３の部分を備えることにより、コンドームを伸ばすプロセスが、迅速かつ便利になる。
【００３０】
ホルダーは、移動した状態で、ホルダーを固定するホルダー固定デバイスを備えていてもよい。
【００３１】
対向する部分の各々は、少なくとも１つのバンドを備えていてもよい。
【００３２】
上記バンドは、上記ホルダーによって規定される領域の内側げ曲がるように適合されていてもよい。さらに、上記バンドは、上記ホルダーによって規定される領域の内側への曲がりを制限するストッパーを備えていてもよい。
【００３３】
上記曲がりを可能とする弾力性のあるコネクタ、またはヒンジ継手を備えていてもよい。
【００３４】
上記回転を可能とする弾力性のあるコネクタ、またはヒンジ継手を備えていてもよい。
【００３５】
上記第３の部分は、弾力性のあるコネクタ、またはヒンジ継手を備えていてもよい。
【００３６】
ホルダーは、２つのレバーを備え、該２つのレバーの一方のアームは、上記対向する２つの部分によって形成され、該２つのレバーの他方のアームは、上記移動デバイスによって形成されていてもよい。
【００３７】
上記第３の部分は、２つの伝達部材を備え、該２つの伝達部材の各々は、上記対向する２つの部分の一方をヒンジで動かすものであるとともに、該２つの伝達部材は、互いに回転可能に接続していてもよい。
【００３８】
上記固定部は、輪なわ状であり、上記コンドームの外側で、該コンドームの巻いた状態の端部を保持するように適合されていてもよい。
【００３９】
さらに、上述した問題点は、次のコンドームホルダーを提供することによって解決される。すなわち、このコンドームホルダーは、平坦に整えられたコンドームを配置し得る空間を少なくとも部分的に規定し、２つのレバーを備え、該２つのレバーのうちの第１のレバーは少なくとも上記コンドームの端部を固定するための固定部を有し、上記レバーには、互いのレバーを離すように移動可能に、第１のアームが接続されており、第２のレバーは、上記移動のために、使用者によって機械的な力が加えられるように適合されている。
【００４０】
ホルダーは、移動した状態で、上記ホルダーを固定するホルダー固定デバイスを備えていてもよい。
【００４１】
上記２つのレバーは、該２つのレバーが接続されている箇所に、共通ピボットを備えていてもよい。
【００４２】
上記２つのレバーは、コネクタにより互いに接続されており、該コネクタの端部に上記ピボットが配置されていてもよい。
【００４３】
上記２つのレバーは、コンドーム平面において、１本の手の指により力を加えられるように適合されていてもよい。
【００４４】
使用者によって機械的な力が加えられるように適合されている上記レバーのアームは、上記第１レバーのアームと回転可能に接続しており、該第１レバーのアームに沿って配置されていていもよい。
【００４５】
ホルダーは、ガイドウェイによって規定されるスロットを備えたボックスの一方の端部である開かれた方に受容されるとともに、上記スロット内に移動可能に配置された部分によって接続しているレストを備え、該レストは、ボックスの外側に配置されており、使用者によって機械的な力が加えられるように適合したレバーのアームは、上記ボックスと回転可能に接続していてもよい。
【００４６】
上記レバーの各々は、少なくとも１つのバンドを備えていてもよい。
【００４７】
上記バンドは、上記ホルダーによって規定される領域の内側へ曲がるように適合されていてもよい。さらに、上記バンドは、上記ホルダーによって規定される領域の内側への曲がりを制限するストッパーを備えていてもよい。
【００４８】
上記曲がりを可能とする弾力性のあるコネクタ、またはヒンジ継手を備えていてもよい。
【００４９】
さらに、上述した問題点は、次のコンドームホルダーを提供することによって解決される。すなわち、このコンドームホルダーは、平坦に整えられたコンドームを配置し得る空間を少なくとも部分的に規定し、１本のアームを有したレバーを２つ備え、該レバーの第１部分は、上記コンドームの端部を固定する固定部を少なくとも１つ備え、上記レバーは互いに接続し、上記アームの第１部分が、少なくとも反対方向に移動するように適合されている。また、上記レバー各々のアームの他の部分は、上記移動のために、使用者によって機械的な力が加えられるように適合されている。
【００５０】
ホルダーは、移動した状態で、上記ホルダーを固定するホルダー固定デバイスを備えていてもよい。
【００５１】
上記２つのレバーは、該レバー各々の、使用者によって機械的に力を加えられるように適合した部分が、他方のレバーの側面に位置するように交差していてもよい。
【００５２】
１箇所を変更し、上記レバーの、使用者によって機械的な力を加えられるように適合した部分が、上記第１部分よりも上記ピボットに近い位置に配置されていてもよい。また、他の部分を変更し、上記レバーの上記第１部分は、該レバーの、使用者によって機械的に力を加えられるように適合した部分よりも上記ピボットの近い位置に配置されていてもよい。
【００５３】
上記２つのレバーは、該２つのレバーが接続されている箇所に、共通ピボットを備えていてもよい。
【００５４】
上記レバーの各々は、少なくとも１つのバンドを備えていてもよい。
【００５５】
上記バンドは、上記ホルダーによって規定された領域の内側へ曲がるように適合されていてもよい。さらに、上記バンドは、上記ホルダーによって規定される領域の内側への曲がりを制限するストッパーを備えていてもよい。
【００５６】
上記曲がりを可能とする弾力性のあるコネクタ、またはヒンジ継手を備えていてもよい。
【００５７】
さらに、上述した問題点は、次のコンドームホルダーを提供することによって解決される。すなわち、このコンドームホルダーは、平坦に整えられたコンドームを配置し得る空間を少なくとも部分的に規定し、上記コンドームの端部を固定する固定部を少なくとも１つ備えた、２つの対向する部分を備え、上記２つの対向する部分は、互いに接続しているとともに、互いに少なくとも離れるように移動可能に適合されている。また、上記２つの対向する部分の各々は、上記部分に対しヒンジで動く伝達部材を備え、上記ホルダーの上記２つの対向する部分の２つの伝達部材は、互いに回転可能に接続している。
【００５８】
ホルダーは、移動した状態で、上記対向する部分を固定する固定デバイスを備えていてもよい。
【００５９】
１箇所変更し、上記伝達部材は、互いにヒンジで動くものであってもよい。
【００６０】
他の部分を変更して、上記伝達部材は、ガイドウェイに沿って移動するように適合したロッドの端部に対しヒンジで動くとともに、上記ホルダーの部分が上記ガイドウェイに対し、該部分の端部までヒンジで動くことにより、上記ガイドウェイは、該ガイドウェイとホルダーの上記部分とを接続するために用いられていてもよい。
【００６１】
ホルダーは、ボックスの一方の端部である開かれた方に受容されるとともに、ガイドウェイとして用いられるスロットと、該スロット内に移動可能に配置された部分で、ロッドの端部と接続しているレストとを備え、該レストは、ボックスの外側に配置されているものであってもよい。
【００６２】
上記対向する部分は、少なくとも１つのバンドを備えていてもよい。
【００６３】
上記バンドは、上記ホルダーによって規定される領域の内側へ曲がるように適合されていてもよい。さらに、上記バンドは、上記ホルダーによって規定される領域の内側への曲がりを制限するストッパーを備えていてもよい。
【００６４】
さらに、上述した問題点は、次のコンドームホルダーを提供することによって解決される。すなわち、このコンドームホルダーは、平坦に整えられたコンドームを配置し得る空間を少なくとも部分的に規定し、２つの角部を備え、該２つの角部は、ホルダーと移動可能に接続しており、上記コンドームの端部を固定する固定部を少なくとも１つ備えている複数の第１部分が互いに対向して配置され、上記第１部分に対して規定の角度で曲げられた位置にある第２部分が互いに沿って伸びているように配置されており、上記角部の接続部分は、上記第１部分の移動に対応した上記第２部分の移動によって上記角部が、互いに少なくとも離れる方向に移動するような第２部分に配置されている。
【００６５】
ホルダーは、移動した状態で、上記角部を固定するホルダー固定デバイスを備えていてもよい。
【００６６】
上記角部は、上記第２部分の端部に対応するハンドルを備え、上記ハンドルは、上記角部が機械的に移動するための力を容易に加えるために用いられるものであってもよい。
【００６７】
上記ハンドルは、上記角部に沿って回転し、配置されるように該角部と接続しているものであってもよい。
【００６８】
上記ハンドルは、上記第１部分に沿って配置されるように適合されていてもよい。
【００６９】
上記２つの角部は、各々の角部と接続したハンドルが他方の角部の側面に位置するように交差していてもよい。
【００７０】
上記第２部分は、１つの平面に配置されていてもよいし、一方が他方の上に配置されていてもよい。
【００７１】
ホルダーは、上記第２部分を囲む、開かれた部分を備えたガイドウェイを備えていてもよい。
【００７２】
上記角部の各々は、少なくとも１つのバンドを備えていてもよい。
【００７３】
上記バンドは、上記ホルダーによって規定される領域の内側へ曲がるように適合されていてもよい。さらに、上記バンドは、上記ホルダーによって規定される領域の内側への曲がりを制限するストッパーを備えていてもよい。
【００７４】
上記曲がりを可能とする弾力性のあるコネクタを備えていてもよい。
【００７５】
上記曲がりを可能とするヒンジ継手を備えていてもよい。
【００７６】
さらに、上述した問題点は、次のコンドームを装着する方法によって解決される。すなわち、この方法は、コンドームが配置された空間を少なくとも部分的に規定したホルダーによって保持された、平坦に整えられたコンドームを装着する方法であって、上記コンドームホルダーは、上記コンドームの端部を保持する固定部を少なくとも１つ備えた、対向する２つの部分と、使用者によって加えられた機械的な力によって、上記対向する２つの部分を移動させる移動デバイスと、を備えており、使用者は手でホルダーを保持し、上記コンドームが伸びるまで、上記２つの対向する部分を移動させ、ペニスの根元までホルダーを移動させることによってコンドームを装着する方法であって、使用者は、ホルダーを保持している手の少なくとも２本の指によって、上記２つの対向する部分に力を加えて上記移動を達成する方法である。
【００７７】
上記対向する２つの部分は、移動された状態で固定されている。
【００７８】
ホルダーを保持している手の指で、上記２つの対向する部分を固定している。
【００７９】
上記コンドーム平面において、上記対向する部分を押すことによって、該対向する部分に力を加えている。
【００８０】
上記ホルダーを保持している手の、少なくとも親指と人差し指によって、上記対向する部分を押すことを実現している。
【００８１】
上記移動の方向は、使用者の手のひらから離れる方向、または、使用者の手のひらに近づく方向である。
【００８２】
上記対向する部分によって形成されたレバーに力が加えられる。
【００８３】
上記レバーの第１アームを離れる方向に移動させ、該アームを移動させる手の２本の指で、上記レバーの第２アームに力を加える。
【００８４】
上記レバーは、１本のアームであってもよい。
【００８５】
上記第１部分よりもピボットの近くに配置されている、上記レバーのアームの上記第２部分に力を加え、前の方へ移動させることによって、上記レバーのアームの第１部分を、反対方向へ移動させる。
【００８６】
上記第１部分を上記第２部分に沿って移動させる手の２本の指で、上記角部の第２部分に力を加えることによって、上記対向する部分によって形成された、上記ホルダーの上記角部の第１部分を、反対方向へ移動させる。
【００８７】
上記角部の第２部分に加えられる力は、ハンドルの端部に加えられた力である。
【００８８】
上記対向する部分の移動は、同じ手の指によって伝達部材の接続部分に加えられた力によって実現される。
【００８９】
ホルダーと接続し、手で保持できるように適合した基部を保持し、該基部を保持している手の指で伝達部材の接続部分に力を加えることによってホルダーを移動させる。
【００９０】
さらに、上述した問題点は、次のコンドームホルダーを提供することによって解決される。すなわち、このコンドームホルダーは、平坦に整えられたコンドームを配置し得る空間を少なくとも部分的に規定し、該コンドームの端部を固定するために用いられる固定部と、離れる方向へ移動可能とする移動デバイスによって、互いに接続した２つの対向する部分が設けられ、上記固定部の間に配置された接続部と、を備え、上記２つの対向する部分は、少なくとも１つの上記固定部を備えており、さらに、上記移動の後に、移動した状態にてホルダーを固定する固定デバイスを備え、上記移動デバイスは、上記対向する部分の反対方向への移動は回転を含むように形成されている。
【００９１】
上記対向する部分の各々は、一方の端部で移動手段と接続し、他方の端部には何も接続されていないバンドを備えている。
【００９２】
上記移動デバイスは、ヒンジ継手を備えている。
【００９３】
さらに、上述した問題点は、次のコンドームを装着する方法を提供することによって解決される。すなわち、この方法は、コンドームが配置された空間を少なくとも部分的に規定したホルダーによって保持された、平坦に整えられたコンドームを装着する方法であって、上記コンドームホルダーは、上記コンドームの端部を保持するための固定部を少なくとも１つ備えた、２つの対向する部分と、使用者によって加えられた機械的な力により移動可能とする、上記２つの対向する部分の間に配置された移動デバイスと、移動の後に、移動された状態にてホルダーを維持する固定装置とを備えており、使用者は、両手でホルダーを保持し、上記対向する部分が、移動された状態で、上記固定装置が固定するまで上記対向する部分を移動させた後、一方の手でホルダーを保持し、ペニスの根元へホルダーを移動させることによってコンドームを装着する方法であって、上記対向する部分は、コンドームの平面で互いに回転するとともに、ホルダーは斜め方向に取り出される方法である。
【図面の簡単な説明】
【００９４】
以下では、添付の図面を参照しながら本発明の詳細な説明を記載する。
【図１】使用者の手で把持される従来のコンドームの斜視図である。
【図２】コンドームを装着するプロセスの前の状態を示す図である。
【図３】使用者によって把持された、２つの部分を有する従来のホルダーに取り付けられたコンドームの斜視図である。
【図４】実施形態の１つである、コンドームホルダーの斜視図である。
【図５】図４に示したホルダーに取り付けられたコンドームの斜視図である。
【図６】図５に示すホルダーに取り付けられたコンドームが引き伸ばされ大きくなった部分の斜視図である。
【図７】他の実施形態におけるコンドームホルダーの斜視図である。
【図８】図７に示すコンドームホルダーを広げたときの斜視図である。
【図９】他の実施形態におけるコンドームホルダーの斜視図である。
【図１０】図９に示すコンドームホルダーを広げたときの斜視図である。
【図１１】他の実施形態におけるコンドームホルダーの斜視図である。
【図１２】図１１に示すホルダーを広げたときの斜視図である。
【図１３】図１１に示すホルダーを広げたときの斜視図である。
【図１４】他の実施形態におけるコンドームホルダーの斜視図である。
【図１５】図１４に示すホルダーを広げたときの斜視図である。
【図１６】他の実施形態における、パッケージに受容されたコンドームホルダーの斜視図である。
【図１７】他の実施の形態におけるコンドームホルダーの斜視図である。
【図１８】図１７に示すホルダーのパーツを示す分解立体図である。
【図１９】図１７に示すホルダーのパッケージのパーツを示す分解立体図である。
【図２０】図１７に示すホルダーによって保持されたコンドームを開梱するプロセスを示す斜視図である。
【図２１】図１７に示すホルダーによって保持されたコンドームを開梱するプロセスを示す斜視図である。
【図２２】図１７に示すホルダーによって保持されたコンドームを開梱するプロセスを示す斜視図である。
【図２３】図１７に示すホルダーによって保持されたコンドームを開梱するプロセスを示す斜視図である。
【図２４】他の実施形態におけるコンドームホルダーの斜視図である。
【図２５】図２４に示すコンドームホルダーを広げたときの斜視図である。
【図２６】他の実施形態におけるコンドームホルダーの斜視図である。
【図２７】図２６に示すコンドームホルダーを広げたときの斜視図である。
【図２８】他の実施形態におけるコンドームホルダーの斜視図である。
【図２９】図２８に示すコンドームホルダーを広げたときの斜視図である。
【図３０】他の実施形態における、コンドームを受容したコンドームホルダーの斜視図である。
【図３１】図３０に示す、コンドームを受容したホルダーを広げたときの斜視図である。
【図３２】他の実施形態における、コンドームを受容したコンドームホルダーの斜視図である。
【図３３】図３２に示すホルダーによって保持されたコンドームを開梱するプロセスを示す斜視図である。
【図３４】図３２に示すホルダーによって保持されたコンドームを開梱するプロセスを示す斜視図である。
【図３５】図３２に示すホルダーによって保持されたコンドームを開梱するプロセスを示す斜視図である。
【図３６】他の実施形態においてホルダーを上から見た模式図である。
【図３７】図３６に示すホルダーによって保持されたコンドームを開梱するプロセスを上から見たときの模式図である。
【図３８】図３６に示すホルダーによって保持されたコンドームを開梱するプロセスを上から見たときの模式図である。
【図３９】図３６に示すホルダーによって保持されたコンドームを開梱するプロセスを上から見たときの模式図である。
【図４０】他の実施形態におけるコンドームホルダーの斜視図である。
【図４１】図４０に示すコンドームホルダーを広げたときの斜視図である。
【図４２】他の実施形態におけるコンドームホルダーの斜視図である。
【図４３】図４２に示すコンドームホルダーを広げたときの斜視図である。
【図４４】他の実施形態におけるコンドームホルダーの斜視図である。
【図４５】図４４に示すコンドームホルダーを広げたときの斜視図である。
【図４６】他の実施形態における、提案されたコンドームホルダーの斜視図である。
【図４７】図４６に示すコンドームホルダーのパーツの分解立体図である。
【図４８】他の実施形態におけるコンドームホルダーの斜視図である。
【図４９】コンドームホルダーの開梱と展開とを組み合わせたデバイスの斜視図である。
【図５０】図４９に示すコンドームホルダーの斜視図である。
【図５１】図４９に示すデバイスの組立て段階を示す斜視図である。
【図５２】図４９に示すデバイスの組立て段階を示す斜視図である。
【図５３】図５０に示すホルダーの開梱および展開の段階を示す斜視図である。
【図５４】図５０に示すホルダーの開梱および展開の段階を示す斜視図である。
【図５５】他の実施形態における、提案されたホルダーの斜視図である。
【図５６】図５５に示すホルダーにコンドームを受容し、広げたときの斜視図である。
【図５７】図５７は、他の実施形態におけるコンドームホルダーの斜視図である。
【図５８】図５７に示すホルダーを広げたときの斜視図である。
【図５９】図５７に示すホルダーを用いてコンドームを装着するプロセスを示す図である。
【図６０】図５７に示すホルダーを用いてコンドームを装着するプロセスを示す図である。
【図６１】図５７に示すホルダーを用いてコンドームを装着するプロセスを示す図である。
【発明を実施するための形態】
【００９５】
図４〜６に、本発明の一実施形態を示す。この実施形態では、ホルダー１は、可撓性コネクタ４によって互いに接続した２つの弧形バンド２、３を備えている。バンド２、３には、その内側６に、コンドームを保持する固定部５が接続されている。
【００９６】
図４、５に示すように、ホルダーは、バンド２、３の内側に形成された、２つの可撓性コネクタ７、８を備えている。図５に示すように、上記コネクタ７、８は、受容したコンドームを、広げられる前の状態で維持する。これは、図５に示すように、コンドームを伸ばす前の状態で維持することを可能にするとともに、コンドームを受容したホルダーのパッケージのサイズを小さくする。
【００９７】
ハンドル９、１０は、バンド２、３の外側１３に取り付けられている。このハンドルは、コンドームを装着するときに用いることができる。上記ハンドル９、１０は、コネクタ４の両側に近接して配置されている。
【００９８】
ハンドル９と接続したバンド２、およびハンドル１０と接続したバンド３は、コネクタ４上に配置されている共通の回転点を含むレバーを形成している。
【００９９】
図５、６に示すように、コンドーム１１は、ホルダー１の中に配置され、コンドームの巻いた状態の端部１２は、固定部５に配置されている。
【０１００】
装置は、次に示すように操作される。使用者は、装置を手に取り、２本の指でハンドル９、１０を押さえて、装置を保持する。そして、使用者は、ハンドルを操作して、互いに近づくようにする。これにより、ホルダー１によって形成された領域は広がり、コンドーム１１は伸びる。上述したホルダーの形状により、使用者は１つの動作（２本の指を互いに近づける動作）によって、一方の手で容易にコンドームを伸ばすことができる。
【０１０１】
さらに、ホルダー１を、ハンドル９、１０によって保持し、ペニスの根元へと移動する（図示せず）。その後、ホルダー１を斜め方向に取り除く。これは、ホルダーが開いて、１８０度以下でペニスを囲むことにより可能である。
【０１０２】
よって、使用者は、一方の手のみを用いることによって、コンドームを装着するために必要な全ての動作を行うことができる。
【０１０３】
図５に示すコネクタ７、８のようなコネクタは、ホルダーの外側にも備えられている。この場合、ホルダーは、上記コネクタの端部で該ホルダーに取り付けられ、上記コネクタ近辺（？）でバンド２の回転を制限している、可撓性バンドをさらに備えている。
【０１０４】
さらに、図５に示すコネクタ４の代わりに、ヒンジ継手が用いられてもよい。
【０１０５】
図７、８に示す実施形態において、ホルダー２３は、可撓性コネクタ３０１によって互いに接続している、２つの弧形バンド２４、２５を備えている。固定部５は、上記バンドの内側に配置されている。
【０１０６】
ハンドル２６、２７は、コネクタ３０１に近接して配置され、コネクタ３０１の両側でバンド２４、２５と接続している。
【０１０７】
ハンドル２６は、端部にスロット２８を備え、ハンドル２７は、スロット２８と機械的にかみ合うラグ２９を備えている。上記スロット２８と上記ラグ２９とによって、ハンドル２６と２８とは、互いに固定される。これにより、ホルダー２３は、開いた状態で固定することができる（図８）。それぞれのハンドル２６、２７は、表面で指とかみ合うリブ部３０を備えている（図８）。上述したハンドルの形状により、コンドームの装着のプロセスはより便利となる。
【０１０８】
図９、１０に示す他の実施形態では、ホルダー３１は、固定部５と互いに接続している３つの弧形バンド３２、３３、および３４を備えている。バンド３２と３４とは、可撓性コネクタ３５によって、互いに接続している。また、バンド３３と３４とは、可撓性コネクタ３６によって、互いに接続している。ハンドル３７は、バンド３４の外側に取り付けられている。該ハンドルは、コンドームを装着するとき、ホルダーを保持するために使用することができる。図９に示すように、ハンドル３８と３９とは、コネクタ３５および３６に近接して配置され、バンド３２、３３に取り付けられている。ハンドル３８と接続したバンド３２、およびハンドル３９と接続したバンド３３は、それぞれ、コネクタ３５、３６上に配置された回転点を含むレバーを形成している。
【０１０９】
ホルダー３１によって保持されたコンドームを装着するプロセスは、図４〜６で示すホルダー１で開示した方法と似ている。
【０１１０】
図１１〜１３に示す実施形態では、ホルダー４０は、ヒンジ継手４３によって互いに接続している２つの弧形バンド４１、４２を備えている。固定部５は、該バンドの内側に配置されている。
【０１１１】
ハンドル４６、４７は、ヒンジ継手４３に近接して配置され、該ヒンジ継手の両側で、ヒンジ継手４４、４５によって、バンド４１、４２に取り付けられている。ハンドル４６、４７は、弧状であり、内側がバンド４１、４２に面して、Ｕ字形状をしている。図１１に示すように、ハンドル４６、４７は、折り畳まれるとき、バンド４１、４２を取り囲む。切抜き部４８、４９は、ハンドル４６、４７の端部に配置され、バンド４１、４２と接続している。図１２に示すように、上記切抜き部は、上記ハンドルが決められた位置まで回転して上がるようにしている。上述したハンドル４６、４７の形状により小型のホルダー形状とすることができる。
【０１１２】
ハンドル４６と接続したバンド４１、およびハンドル４７と接続したバンド４２は、ヒンジ継手４３と一致した共通の回転点を含むレバーを形成している。
【０１１３】
ホルダー４０によって保持されたコンドームを装着する前に（図示せず）、ハンドル４６、４７は、切抜き部４８、４９がバンド４１、４２と接触するまで、図１１―１２に示す矢印の方向に回転する。図１２に示す矢印の方向に、さらにハンドル４６、４７を回転させると、該ハンドルに加えられた力がバンド４１、４２へ伝達され、バンド４１、４２は、図１３に示すように反対方向へ移動し始める。それゆえ、コンドーム（図示せず）は伸び、装着可能な状態となる。さらに、ホルダー４０は、ハンドル４６、４７を指で保持されながら、ペニスの根元へと移動される（図示せず）。その後、ホルダーは、斜め方法に取り除かれる。
【０１１４】
図１４、１５に示すホルダー５０は、固定部５と互いに接続している、２つの直線バンド５１、５２を備えている。Ｌ字形状ハンドル５３、５４は、一端部でヒンジ継手５５、５６によって、バンド５１、５２に取り付けられている。上記ハンドル５３、５４は、ヒンジ継手５８、５９によって、ストリップ５７の端部に取り付けられている。バンド５１、５２には、それぞれの同方向の端部に配置された、ラグ６０、６１が設けられている。また、同端部には、ヒンジ継手５５、５６が形成されている。上記ラグは、ハンドル５３、５４によって、ヒンジ継手５５、５６の周りを、バンド５１、５２が回転することを、決められた位置までに制限する。ハンドル５４と接続したバンド５１、およびハンドル５３と接続したバンド５２は、ヒンジ継手５８、５９それぞれの回転軸となる軸を含むレバーを形成している。
【０１１５】
ホルダー５０によって保持されたコンドームを装着する前に（図示せず）、使用者は、Ｌ字形状ハンドル５３、５４の端部６２、６３に力を加え、上記ハンドルが互いにラグ６０、６１と接触するまで動作する。ハンドル５３、５４にさらに力を加えると、上記ハンドルに加えられた力は、バンド５１、５２に伝達される。そして、図１５に示すように、上記バンドは、反対方向に移動し始める。ホルダーによって形成された領域は広がり、コンドームは伸ばされる。ハンドル５３、５４に加えられた力は、コンドームの端部に圧縮された力として蓄えられる。
【０１１６】
ホルダーによって保持されたコンドームを梱包し、該コンドームの開梱とこれを伸ばすことを組み合わせるといった実施形態は可能である。
【０１１７】
例えば、図１６〜２３に示すように、ホルダー６４は、平面ボックス６５に受容され、平面ボックス６５は、１つの開口端６６と、ボックス６５の一方の面に形成された中央貫通スロット６７とを備えている（図１６）。ボックス６５は、例えばプラスチックのように、内部を完全な状態で維持できる十分な強度をもち、かつ、手に持つことができる材料であれば、どのような材料で形成されていてもよい。
【０１１８】
図１７、１８に示すように、ホルダー６４は、バンド６８、６９を備えている。固定部５は、ペアとなってストリップ７０、７１接続している（図２３）。ストリップ７０、７１は、それぞれ、バンド６８、６９に取り付けられた輪なわ３０２と接続しているイヤー７２を備え、回転に適応している。このように、ストリップ７０、７１がバンド６８、６９に接続していることにより、固定部のフックが曲がっている方向と反対方向に、固定部５と上記ストリップとが回転することができる。
【０１１９】
バンド７３、７４は、ヒンジ継手７５、７６によって、バンド６８、６９と接続している（図１７、１８）。このため、バンド７３、７４には、一端部に開口部７７、７８が設けられており、バンド６８、６９には、開口部７９、８０が設けられている。上記開口部は、軸１９８、１９９に合わせて配置されており、それぞれヒンジ継手７５、７６を形成している。ラグ８１、８２は、バンド６８、６９の開口部７９、８０に近接した位置に形成されている。図２１〜２３に示すように、上記ラグはバンド７３、７４の回転を、決められた位置までに制限する。
【０１２０】
ストリップ８３は、バンド７３と７４との間に配置され、端部に開口部８４、８５が設けられている。上記開口部は、バンド７３、７４に形成された開口部８６、８７と、軸２００、２０１によって接続されている。開口部８４および８６と、８５および８７（図１８）と、上記軸とは、ヒンジ継手８８、８９（図１７）を形成している。支持台９０は、ストリップ８３の中央部分に形成されている。該支持台は、ボックス６５内で、ホルダー６４が配置されたときに、スロット６７内を回転するように適合されており、レスト９１は、上記ボックスの外側で、上記支持台に取り付けられている（図１６）。
【０１２１】
レバー９２、９３は、ヒンジ継手の軸２００、２０１の位置に、開口部３０３、３０４を備え、ヒンジ継手８８、８９に取り付けられている。レバー９２、９３は、Ｕ字形状であり、内側が、バンド７３、７４に面し、該バンドを囲んでいる。バンド７３、７４の端部３０６、３０７は鋭角の角部３１０、３１１を含んでおり、該角部は、図１８、２２に拡大して示すように、上記バンドのレバー９２、９３に対する回転を制限する。レバー９２、９３と互いに接続している可撓性ストリップ９４は、レバー９２、９３の外側を囲んでおり、該レバーの内側に（接着剤等で）取り付けられている。ストリップ９４は、ボックス６５内にホルダー６４が配置されたときに、該ボックスの閉じられた方の端部の内側で該ボックスに取り付けられている部分９５を含む。
【０１２２】
ホルダー６４は、従来のコンドームのパッケージと類似したパッケージ９６に受容されている。ストリップ９４は、パッケージ９６の外側に配置されている。パッケージ９６は、沿って容易に破ることができる、弱くしたライン３０５が設けられていてもよい。図１９に、弱くしたラインの好ましい実施形態を示す。
【０１２３】
パッケージ９６は、ボックス６５と、例えば接着剤等で接着している。パッケージ９６とボックス６５との接着点は、好ましくは、ボックスの閉じられた方の端部に近接した位置とパッケージの端部とである。しかしながら、パッケージ９６は、長い領域で接着されていてもよい。
【０１２４】
ボックス６５には、開かれた方の端部に形成された、切抜き部９７、９８が設けられている。キー９９、１００は、上記切抜き部に配置されている。上記キーは、Ｕ字形状を有し、内側がボックス６５に面している。キー９９、１００は、可撓性コネクタ１０１によって、ボックス６５に取り付けられている。
【０１２５】
組み立てられた装置を図１６に示す。
【０１２６】
上記装置は、次のように動作する。使用者は、ボックス６５の開かれた方の端部が外、すなわち使用者から離れる方向を向くように、装置を手で保持し、レスト９１に親指を置く。そして、使用者は、親指を前、すなわち使用者から離れる方向へ動かす。ホルダー６４は、これにより移動し、パッケージ９６が破れて、出てくる。レスト９１がスロット６７の端部に到達すると、バンド６８、６９が、ボックス６５から完全に離れる。さらに、図２１〜２３に示すように、ストリップ９４がボックス６５に取り付けられていることにより、該ストリップは、レバー９２、９３の動きを制限し、該レバーは、外側に回転を始める。その結果、キー９９、１００は、レバー９２、９３に隣接し、該キーは、離れ始める。レバー９２、９３は、端部３０６、３０７の角部３１０、３１１が、レバー９２、９３の内側の面と接触するまで、バンド７３、７４に対して回転する。それゆえ、バンド７３、７４は、レバー９２、９３に対して特定の角度で固定される。レバー９２、９３に力を加えることにより、該レバーと接続しているバンド７３、７４が広がり、さらにバンド６８、６９が広がることによりコンドームが伸びる（図示せず）。
【０１２７】
コンドームが伸びた後、使用者は、ホルダー６４をペニスの根元へ移動させることにより、コンドームを装着する。その後、使用者が、キー９９、１００を押すことにより、レバー９２、９３が互いの方向へ移動する。レバー９２、９３の移動により、バンド７３、７４、およびバンド６８、６９が互いの方向に移動する。固定部５は、ペニスへ押し付けられる。さらに、キー９９、１００に力を加えることにより、固定部５のフックが曲がっている方向（図３０参照）と反対方向に、固定部５が回転する。コンドームの端部は、固定部から離れ、ホルダーは、斜め方向に容易に取り外される。
【０１２８】
図２４、２５に、本発明の他の実施形態を示す。ホルダー１０２は、固定部５が取り付けられた２つの直線バンド１０３、１０４を備えている。プレート１０５、１０６は、上記バンド１０３、１０４の端部に取り付けられている。プレート１０５は、フランジ１０７を備え、プレート１０６は、フランジ１０８を備えている。該フランジは、上記プレートと垂直になっている。フランジ１０７、１０８は、指を支持するものとして働く。プレート１０５、１０６は、一方が他方の上にあり、互いにヒンジ継手１０９によって接続されている。そして、プレート１０５は、反対側にラグ１１０を備え、プレート１０６は、ラグ１１０のガイドウェイとして用いられるスロット１１１を備えている。
【０１２９】
接続部３０８、３０９は、バンド１０３、１０４とバンド１０５、１０６とを、交差するように配置して接続している。
【０１３０】
コンドームを装着する前に、使用者は、手でフランジ１０７、１０８を把持することによって、ホルダー１０２を保持する。その後、図２５の矢印で示す方向に、指で該フランジに力を加える。これにより、ラグ１１０は、スロット１１１の中に移動する。この動作は、プレート１０６の側面部１１２が、プレート１０５のフランジ１０７に接触するまで続く。これにより、ホルダー１０２によって形成される領域は広がり、コンドーム（図示せず）は伸びる。そして、使用者は、広がった状態のホルダー１０２を保持し、ペニスの根元へ移動させて、コンドームを装着する。コンドームを装着した後、ホルダーは、斜め方向に取り外すことができる。
【０１３１】
図２６、２７に示すホルダー１１４は、２つの曲線バンド１１５、１１６によって形成されており、該曲線バンドは、それぞれ固定部５と接続している。上記バンド１１５、１１６は、ヒンジ継手１１７によって、それぞれの端部で互いに接続している。図２６に示すように、上記バンドは、定位置に配置され、バンド１１５、１１６の端部１１８、１１９は交差し、反対方向に面している。
【０１３２】
コンドーム（図示せず）を装着する前に、使用者は、端部１１８、１１９を把持し、図２６の矢印示すように、該端部を互いの方向へと移動させる。これにより、図２７に示すように、ホルダー１１４によって形成される領域は、広がる。
【０１３３】
図２８、２９に他の実施形態を示す。ホルダー１２０は、８の字が開くように形成されたバンド１２１を備えている。バンド１２１は、固定部５と接続している。該固定部は、バンド１２１の端部１２３、１２４と分岐部１２５と間にある、ホルダーの開いた部分１２２に配置されている。バンド１２１には、分岐部１２５に近接した形成され、互いに面している、２つの切抜き部１２６、１２７が設けられている。切抜き部１２６、１２７の上述した形状により、一平面に固定部５を配置することができる。ホルダー１２０の閉じた部分１２８は、弾力性のある材料で形成されており、軸１２９の周りを、アーチ状に曲げることができる。よって、ホルダー１２０は、上記軸１２９を共通の回転点とした２つのアームをレバーとしたシステムである。
【０１３４】
コンドームを装着する前に、使用者は、図２９に示す矢印の方向へ２本の指でホルダーの閉じた部分１２８を押す。これにより、端部１２３、１２４は、反対方向へ移動し、ホルダーの開いた部分１２２によって形成される領域は広がる（図２９）。そして、コンドーム（図示せず）は、伸びる。そして、使用者は、開いた状態のホルダー１２０を保持し、ペニス根元に移動させて、コンドームを装着する。
【０１３５】
図３０、３１に、小型ホルダーの他の実施形態の示す。ホルダー１４１は、互いに固定部と接続している弧形バンド１４２、１４３を備えている。上記バンド１４２、１４３は、ヒンジ継手１４５、１４６によって、フレーム１４４の一方の端部に取り付けられている。フレーム１４４は、Ｕ字形状を有し、内側がバンド１４２、１４３の端部に面し、該端部を囲んでいる。ホルダー１４１は、主に弧形ストリップ１４７、１４８で構成される伝達部材を備えている。ストリップ１４７、１４８は、一端部で、バンド１４２、１４３に対してヒンジで動き、他方の端部で、２つのヒンジ継手１５１、１５２により、直線ロッド１５０に取り付けられている。ロッド１５０は、フレーム１４４に形成された開口部１５３を通り抜け、端部１５５にレスト１５４を備えている。
【０１３６】
装置は次のように動作する。使用者は、手でホルダー１４１を保持し、レスト１５３に力を加えることによって使用者自身の方向へロッド１５０を移動させる。これにより、図３１に示すように、ストリップ１４７、１４８は回転し、バンド１４２、１４３を反対方向へ移動させる。ロッドが完全に押出されると、コンドーム１１は伸びて、装着可能となる。そして、使用者は、広がった状態のホルダー１４１を保持し、ペニスの根元へ移動させて、コンドームを装着する。
【０１３７】
例えば、図３２〜３５の実施形態で示すように、ホルダーを広げることは、開梱と組み合わせることもできる。
【０１３８】
この実施形態によれば、ホルダー１５６（図３２）は、図３０、３１に示すホルダー１４１と類似している。相違点は、図３２に示すように、ストリップ１４７、１４８と類似しているストリップ１５７、１５８が、１つのヒンジ継手１６０によりロッド１５９に取り付けられている点である。さらに、ロッド１５９は、ロッド１５０（図３０）と比較して、フレーム１４４（図３０）と類似しているフレーム１６０の上側を通過し、その上に置かれている。
【０１３９】
ホルダー１５６は、フラットボックス１６２（説明を容易にするために破線で表示）に受容されている。図３２に示すように、フラットボックス１６２は、１つの開口部１６３と、ボックス１６２の一方の側面に形成された中央のスルースロット１６４とを備えている。たわみ防止プレートとして形成された固定装置１６５は、ボックス１６２の内側で、開口部１６３に近接した位置に配置されている。上記固定装置は、フレーム１６１（図３３、３４）に形成された切抜き部１６７と機械的にかみ合うように適合されており、ホルダー１５６がボックス１６２へ戻ることを制限している。
【０１４０】
レスト１６８は、指によって力が加えられる、形状および大きさが快適なキーまたはボタンである。レスト１６８は、ボックス１６２の外側に配置され、スロット１６４内のロッド１６９によって、ホルダー１５６と接続している。
【０１４１】
この装置の動作を、図３３〜３５に示す。使用者は、ボックスの開口部１６３が前、すなわち、使用者から離れる方向に向くように、手で装置を保持し、親指をレスト１６８へ置く。そして、使用者は、親指を前、すなわち使用者から離れる方向へ動かす。図３３に示すように、レスト１６８が、スロット１６４の端部に到達すると、フレーム１６１は、開口部１６３の近辺に位置する。その後、使用者は、レスト１６８に力を加え、使用者の方向にレスト１６８を移動させる。フレーム１６１が固定装置１６５によって開口部１６３で固定されることにより、レスト１６８およびロッド１５９の動作が、ストリップ１５７、１５８（図３４）の回転へと繋がる。そして、ストリップは、弧形バンドを反対方向へと移動させ、これにより、ホルダー１５６によって形成される領域は広がる。図３５に示すように、フレーム１６１がヒンジ継手１６０のさらなる移動を制限している位置において、コンドーム１１は伸びて、装着可能となる。そして、使用者は、一方の手でボックスを保持し、ペニスの根元へ移動させて、コンドームを装着する。コンドームを装着した後、ホルダーは斜め方向に取り外すことができる。
【０１４２】
図３６〜３９に示すように、上述した形状において、ストリップ１５７、１５８の互いの接続を異ならせることもできる。プレート１７０は、ロッド１５９の代わりに用いられており、ストリップ１５７、１５８は、交差して配置され、２つのヒンジ継手１７１、１７２によって該プレートに取り付けられている。図４６〜４８に示す装置は、図３３〜３５に示す装置と類似している。図４０、４１に示すような実施形態も可能である。すなわち、ホルダー１７３が、交差して配置され、交差している箇所で上記バンドを囲んでいる長方形の開口部を備えたガイドウェイ２０２によって移動可能に互いに接続している、２つのバンド１７４、１７５を備えた実施形態である。
【０１４３】
ストリップ１７４、１７５は、主にＺ字形状である。固定部５は、それぞれのバンドの１つの端部１７６、１７７に形成されており、他方の端部は、指によって力が加えられるようになっている。
【０１４４】
この装置は、次に示すように動作する。使用者は、手にホルダーを取り、指で端部１７８、１７９を把持することによってホルダーを保持する。そして、使用者は指を互いに近づける。これにより、端部１７６、１７７は、反対方向に移動する。ホルダーのこの状態（図１４に示す）において、コンドーム（図示せず）は、伸びて、装着可能となる。
【０１４５】
図４２、４３に示す他の実施形態では、ホルダーは、２つのＬ字形状バンド１８０、１８１を備えている。固定部５は、バンド１８０、１８１それぞれの側面１８２、１８３に配置されている。また、該バンドの側面１８４、１８５は、弧形であり、互いに移動可能に接続されている。側面１８５には、スロット１８６が設けられており、側面１８４には、上記スロット１８６と同じ形状で、該スロット１８６がはまるように適合した蟻継ぎラグ１８７が設けられている。上記スロットは、バンド１８０、１８１が互いに移動するときに、ラグ１８７のガイドウェイとして用いられる。
【０１４６】
うねのあるレスト部１８８は、側面１８４に形成されている。該レスト部は、指とバンドの表面とが、容易に機械的にかみ合うよう作用する。レスト部１９７（図示せず）は、レスト部１８８と反対側の側面１８５に形成されている。
【０１４７】
この装置は、次の示すように動作する。使用者は、２本の指（人差し指と親指）でホルダーを取り、図４３の矢印で示すように、レスト部１８８、１９７を押すことにより、バンド１８０に対して、バンド１８１を移動させる。側面１８２、１８３は、反対方向に移動し、これにより、コンドーム（図示せず）が伸びる。このホルダーは、最も小型である。
【０１４８】
図４４、４５に示す実施形態では、ホルダーは、２つのＬ字形状バンド１８９、１９０を備えている。固定部５は、上記バンドの側面１９１、１９２に配置されており、該バンドの側面１９３、１９４は、弧形であり、互いに並行に移動できるように接続されている。バンド１８９の側面１９３は、手で保持しやすいように平面であり、該平面には、図４４に破線で示すように、開口部１９５が設けられている。また、バンド１９０の側面１９４は、開口部１９５の中に、位置している。側面１９４には、うねのあるレスト部１９６が設けられている。
【０１４９】
コンドームを装着するとき、使用者は、ハンドルとして使用する側面１９３によって、ホルダーを保持する。そして、レスト１９６に、図４５に矢印示す方向に指（好ましくは親指）で、力を加える。これにより、図４５に示すように、側面１９１、１９２は離れていき、コンドーム（図示せず）は、伸びる。
【０１５０】
図４０、４１に示す、上述したホルダーの形状において、バンドの接続は異なっていてもよい。図４６、４７に示すホルダー２０３は、ラグ２０６とスロット２０７とを、それぞれ備えた２つのバンド２０４、２０５を備えている。ラグ２０６は、該ラグのガイドウェイとして働くスロット２０７内に配置されている。さらに、バンド２０４、２０５は、該バンドが接続し、互いに面している箇所に配置され、図４６に示すようにバンド２０４、２０５を囲んでいる、Ｌ字形状ラグ２０８、２０９を備えている。これにより、バンドが、コンドームの平面以外の方向に対して移動してしまうことを防止する。この装置は、図４０、４１に記載した装置と同様の動作を行う。
【０１５１】
さらに、図４０、４１に示すホルダー１７３は、例えば図４８に示すものとは、異なる形状の端部１７６、１７７を備えており、該端部は弧形である。バンド１７４、１７５はまた、ガイドウェイ２０２によって、互いに移動可能に接続しており、端部１７６、１７７は、ガイドウェイ２０２を含むバンド１７４、１７５が交差している箇所に対して所定の角度で配置されている。
【０１５２】
図４０、４１に示すホルダーと類似したホルダーを広げることは、例えば、図４９〜５４に示す実施形態のように、開梱と組み合わせることができる。
【０１５３】
この実施形態によると、ホルダー２１０（図５０）は、図４０、４１に示すホルダー１７３と類似する。相違点は、ホルダー２１０のバンド２１２と２１３とを接続している長方形の部分の開口部を有するガイドウェイ２１１が、ロッド２３０によってガイドウェイ２１１と接続しているレスト２１４を備えている点である。そして、ロッド２１７、２１８は、上記バンドの端部２１５、２１５に形成されている。図５１に示すように、ホルダー２１０は、Ｕ字形状フレーム２１９に配置され、フレーム２１９は、内側がホルダー２１０に面し、該ホルダーを囲んでいる。フレーム２１９の側面２２０、２２１は、Ｌ字形状を有し、ロッド２１７、２１８が移動可能に中に配置されているスロット２２２、２２３は、該フレームの一方の側面に設けられている。また、リブ部２２４は、該フレームの他の側面に設けられている。
【０１５４】
フレーム２１９内に配置されたホルダー２１０は、開梱を容易にするための弱いラインを備えたパッケージ２２５に受容されている。該弱いラインの好ましい形態を図５２に示す。パッケージ２２５は、中央のスルースロット２２８を有するプレート２２７として形成されたケース２２６と（例えば接着剤等で）接着している。パッケージ２２５とケースとの接触点を、図５２のハッチ部２３２で示す。フランジ２２９は、プレート２２７の一方の端部に形成され、他方の端部２３１は、概ねＶ字形状を有している。レスト２１４は、プレート２２７の、パッケージと接着している面と反対の側面に配置され、ロッド２３０は、スロット２２８内に、移動可能に配置されている。
【０１５５】
この装置は、図５３、５４に示すように動作する。使用者は、プレートの端部２３１が前に面すように、すなわち使用者から離れるように、手で装置を保持し、レスト２１４に親指を置く。そして、使用者は、親指を前、すなわち使用者から離れるように動かす。これにより、ホルダー２１０は移動し、弱いラインに沿ってパッケージ２２５は破れる。図５３に示すように、レスト２１４が、スロット２２８の端部に到達すると、ホルダー２１０は、完全にパッケージ２２５から離れる。そして、使用者は、ホルダーを保持している手で、パッケージ２２５を通して、部分２２４に力を加える。図５４の矢印で示すように、上記力を加える部分は、互いの方向に向き合って配置されている。バンド２１２、２１３は、ガイドウェイ２１１に沿って、反対方向に配置されている。これにより、コンドーム（図示せず）が伸びる。そして、使用者は、一方の手でホルダーを保持しながら、ペニスの根元に移動させて、コンドームを装着する。コンドームを装着した後、ホルダーは、斜め方向に取り出すことができる。
【０１５６】
使用者が、ホルダーを完全に移動させなかったという状況であっても、可能である。この場合、部分２２４が押されたときに、側面２２０、２２１は、バンド２１２、２１３に接触することになり、ホルダーが広がることを妨げてしまう。この状況を避けるために、ホルダーのバンド２１２、２１３の端部にスキューイング２３３が形成されている（図５０、５４）。これにより、ホルダーは、後ろ側の端部が、概ねＶ字形状となる。上記した状況で、側面２２０、２２１がスキューイング２３３に接触すると、ホルダーは、上述した方法により、障害もなく、完全に飛び出して広がり、コンドームを伸ばす。
【０１５７】
上述した全ての実施形態において、固定部は、外側で、コンドームのリングを取り囲むように適合した弧形のワイヤとして形成することができる。図５５、５６に示す実施形態において、ホルダー２３５は、可撓性コネクタ２３８によって接続した２つの弧形バンド２３６、２３７を備えている。ワイヤで形成された固定部２３９は、バンド２３６、２３７それぞれに配置されている。固定部２３９それぞれは、形状が固定部２３９と一致しているバンド２３６、２３７の平面に配置された弧形部２４０を含んでいる。固定部２３９それぞれの端部２４１、２４２は、その中にコンドーム１１のリング１２が配置されるように、切抜き部が形成されるとともに、曲がっている。コンドームが配置されたホルダー２３５を、図５６に示す。
【０１５８】
ハンドル２４３、２４４は、バンド２３６、２３７の外側部１３に、取り付けられている。該ハンドルは、コンドームを装着するときに、ホルダーを保持するために用いることができる。上記ハンドル２４３、２４４は、コネクタ２３８の両側で、コネクタ２３８の近い位置に配置されている。ホルダー２３５を装着するプロセスは、図６に示したホルダーと類似している。
【０１５９】
図５７、５８に示す他の実施形態では、ホルダー２４５は、可撓性コネクタ２４８として形成された移動手段によって接続している、２つの弧形バンド２４６、２４７を備えている。バンド２４６、２４７は、内側２４９で、固定部５と接続している。
【０１６０】
プレート状に形成されたハンドル２５１は、バンド２４６、２４７の外側２５０に取り付けられている。上記ハンドルは、コンドームを装着するときに、ホルダーを保持するために用いることができる。しかしながら、ホルダーは、必ずしも、ハンドルを含む必要はない。この場合、使用者は、バンド２４６、２４７（図示せず）を把持することによってホルダーを保持する。
【０１６１】
バンド２４６は、コネクタ２４８に近接して配置されるとともに、開放側の端部に位置するラグ２５３を含んでいるＬ字形状部材２５２を備えており、バンド２４７は、コネクタ２４８に近接して配置されたスロット２５４を備えている。上記スロット２５４と上記ラグ２５３とにより、バンド２４６とバンド２４７とは、互いに固定され、これにより、ホルダー２４５は広がった状態を維持することができる（図５８）。
【０１６２】
この装置は、図５９〜６１に示すように動作する。使用者は、両手でハンドル２５１（図５９）を把持することにより装置を取り、ハンドルに力を加え、バンド２４６、２４７を反対方向に移動させ、コネクタ２４８に対して該バンドを回転させる。これにより、ホルダー２４５によって形成される領域は広がり、コンドーム１１は伸びる。バンド２４６、２４７が限界まで移動すると、ラグ２５３はスロット２５４に嵌まり、ホルダー２４５は、広がった状態で維持される（図６０）。
【０１６３】
その後、使用者は、一方の手で、ホルダー２４５を保持し、ペニスの根元まで移動させる（図６１）。そして、ホルダーは、斜め方向に取り外される。ロックされたとき、バンド２４６、２４７は固定されるので、ホルダーは、２つのハンドルで保持することもできるし、１つのハンドルで保持することもできる。よって、ホルダーによりコンドームが伸びた後、片方の手は自由になり、もう片方の手のみを使用してホルダーを移動させることができる。そして、使用者は、該片方の手を用いて、コンドームの装着を容易に行うことができる。
【０１６４】
ホルダーが回転することにより広がることによって、ホルダーは、固定部の間の接続部の部分が反対方向へ平行に移動するホルダー（例えば、図４０、４１に示すホルダー）と比較して、閉じた状態では、より小型である。さらに、このホルダーの、形状の変更、ハンドルの位置によって、図７、８に示すホルダーと比較して、ホルダーを小さくすることができる。よって、ここに記載したホルダーは、片方の手のみの使用で装着可能であり、斜め方向に取り外し可能とすることで、コンドームの装着を快適にしている。また、組立て状態のホルダーが小さいので、使用者のポケットにホルダーを入れるときの利点となる。
【図１】
2010528807.tif 000003
【図２】
2010528807.tif 000004
【図３】
2010528807.tif 000005
【図４】
2010528807.tif 000006
【図５】
2010528807.tif 000007
【図６】
2010528807.tif 000008
【図７】
2010528807.tif 000009
【図８】
2010528807.tif 000010
【図９】
2010528807.tif 000011
【図１０】
2010528807.tif 000012
【図１１】
2010528807.tif 000013
【図１２】
2010528807.tif 000014
【図１３】
2010528807.tif 000015
【図１４】
2010528807.tif 000016
【図１５】
2010528807.tif 000017
【図１６】
2010528807.tif 000018
【図１７】
2010528807.tif 000019
【図１８】
2010528807.tif 000020
【図１９】
2010528807.tif 000021
【図２０】
2010528807.tif 000022
【図２１】
2010528807.tif 000023
【図２２】
2010528807.tif 000024
【図２３】
2010528807.tif 000025
【図２４】
2010528807.tif 000026
【図２５】
2010528807.tif 000027
【図２６】
2010528807.tif 000028
【図２７】
2010528807.tif 000029
【図２８】
2010528807.tif 000030
【図２９】
2010528807.tif 000031
【図３０】
2010528807.tif 000032
【図３１】
2010528807.tif 000033
【図３２】
2010528807.tif 000034
【図３３】
2010528807.tif 000035
【図３４】
2010528807.tif 000036
【図３５】
2010528807.tif 000037
【図３６】
2010528807.tif 000038
【図３７】
2010528807.tif 000039
【図３８】
2010528807.tif 000040
【図３９】
2010528807.tif 000041
【図４０】
2010528807.tif 000042
【図４１】
2010528807.tif 000043
【図４２】
2010528807.tif 000044
【図４３】
2010528807.tif 000045
【図４４】
2010528807.tif 000046
【図４５】
2010528807.tif 000047
【図４６】
2010528807.tif 000048
【図４７】
2010528807.tif 000049
【図４８】
2010528807.tif 000050
【図４９】
2010528807.tif 000051
【図５０】
2010528807.tif 000052
【図５１】
2010528807.tif 000053
【図５２】
2010528807.tif 000054
【図５３】
2010528807.tif 000055
【図５４】
2010528807.tif 000056
【図５５】
2010528807.tif 000057
【図５６】
2010528807.tif 000058
【図５７】
2010528807.tif 000059
【図５８】
2010528807.tif 000060
【図５９】
2010528807.tif 000061
【図６０】
2010528807.tif 000062
【図６１】
2010528807.tif 000063
【国際調査報告】
2010528807.tif 000064
2010528807.tif 000065
2010528807.tif 000066
2010528807.tif 000067
2010528807.tif 000068
2010528807.tif 000069